(57)【要約】【課題】画像映像情報を簡便な分類方式で編集処理することにより、自叙伝や伝記を効率よく制作することができる思い出バンクシステムの提供。【解決手段】自叙伝、伝記その他の人物史や団体史の編集、制作に関した情報を入力する入力手段２と、マルチメディア情報をデータベースとして記憶する記憶手段１４と、このデータベースの生成に際し、人物または団体の略歴情報に関連付けて前記マルチメディア情報を記憶させるとともに、人物史や団体史制作の指令内容に従い、選択された人物、団体およびそれらの関連データを前記記憶手段１４のデータベースから読み出して所定の方式により分類し、かつ編集処理することにより、写真画像の配列を標準とした人物史制作データや団体史制作データを生成する制作制御手段１５と、を備えてなる。【選択図】      図１
2004336555.tif 000002
【特許請求の範囲】
【請求項１】
静止画や動画の画像映像情報を整理編集して、自伝や伝記等を制作するのを支援する思い出バンクシステムであって、
前記画像映像情報の入力を受ける手段と、
入力された画像映像情報を、その画像映像に写った人物、及びその人物とその画像映像情報との関連度を対応づけて記憶する情報記憶手段と、
人物ごとに固有の人物識別情報の入力を受けることで、その人物識別情報に基づき情報記憶手段を検索して、その人物に対応した画像映像情報を取得可能とされ、且つ前記関連度を利用して、一定以上その人物に関連のある画像映像情報を取得して出力可能な手段と
を備えることを特徴とする思い出バンクシステム。
【請求項２】
前記各画像映像情報には、複数の人物識別情報と関連度が付されていることを特徴とする請求項１に記載の思い出バンクシステム。
【請求項３】
前記関連度は、指定された人物を基準に、親族では親等、その他の関係者では親密度の度合いにより各人を段階的に異なる比率でランク付けした重要度リストに基づくものであることを特徴とする請求項１又は請求項２に記載の思い出バンクシステム。
【請求項４】
特定人物に関連のある画像映像情報を出力する前記手段は、家系図制作指令に従い、指定された人物を基準に数世代前からの親族の写真画像を編集して家系図制作データを生成することを特徴とする請求項３に記載の思い出バンクシステム。
【請求項５】
特定人物に関連のある画像映像情報を出力する前記手段は、式用写真集制作指令に従い、指定された人物を基準に画像映像情報を取得して、結婚式や葬式等の写真集制作データを生成することを特徴とする請求項１から請求項４までのいずれかに記載の思い出バンクシステム。
【請求項６】
前記各手段はサーバに備えられており、このサーバは複数の端末にインターネットを介して接続されており、
特定人物に関連のある画像映像情報を出力する前記手段は、端末からアクセスがあると、所定の認証処理を経た後、そのアクセス内容に応じた制作データを送信することを特徴とする請求項１から請求項５までのいずれかに記載の思い出バンクシステム。
【発明の詳細な説明】
【０００１】
【発明の属する技術分野】
本発明は、自分史の制作、結婚披露宴や葬儀場などでの利用を容易にするために、日頃から写真やビデオを整理、保存する思い出バンクシステムに関するものである。
【０００２】
【発明の背景】
従来、個人の写真やビデオは、整理や保存せずに、単にアルバムに綴じたり、ビデオテープを保管したりしている。従って、撮影の時期や場所が不明になったり、年月が経つと一緒に写っている人の名前や、撮影場所すら思い出せないことがあった。
【０００３】
ところで、最近は、人の出生から始まる自分史を写真付きで制作したり、生い立ちが分かるように写真やスライドを結婚式や葬儀場で披露したりすることが行われている。このような場合、写真や経歴を出版社や専門業者、或いは式場などに提供して依頼するのが一般的であるが、費用が高価であるし、そもそも記憶があいまいでは、作品の完成度にも問題が残るものにならざるを得ない。
【０００４】
また、従来は写真が使用されており、動画には対応していなかった。さらに、従来は、写真は個人が整理し保存しているが、膨大な量を適切な環境下で、管理保存するのは困難をきわめた。よって、あまり必要でないものまで保管してしまい、収納場所に苦慮することになる。また、最近では、ビデオも増え始め、整理の必要性が一層高まっている。
【０００５】
本発明は、上記事情に鑑みてなされたものであり、その主たる目的は、写真などの静止画像、ビデオなどの動画を、簡便な分類方式で編集処理することにより、自分史などを効率よく制作することができる思い出バンクシステムを提供することにある。
【０００６】
【課題を解決するための手段】
上記目的を達成するため、本発明の思い出バンクシステムは、静止画や動画の画像映像情報を整理編集して、自伝や伝記等を制作するのを支援する思い出バンクシステムであって、下記構成要件（Ａ）から（Ｃ）を備えることを特徴とする。
（Ａ）前記画像映像情報の入力を受ける手段。
（Ｂ）入力された画像映像情報を、その画像映像に写った人物、及びその人物とその画像映像情報との関連度を対応づけて記憶する情報記憶手段。
（Ｃ）人物ごとに固有の人物識別情報の入力を受けることで、その人物識別情報に基づき情報記憶手段を検索して、その人物に対応した画像映像情報を取得可能とされ、且つ前記関連度を利用して、一定以上その人物に関連のある画像映像情報を取得して出力可能な手段（制作制御手段）。
【０００７】
また、好ましくは上記構成に加えて、前記各画像映像情報には、複数の人物識別情報と関連度が付されていることを特徴とする思い出バンクシステムである。
また、好ましくは上記構成に加えて、前記関連度は、指定された人物を基準に、親族では親等、その他の関係者では親密度の度合いにより各人を段階的に異なる比率でランク付けした重要度リストに基づくものであることを特徴とする思い出バンクシステムである。
【０００８】
【発明の実施の形態】
以下、本発明の思い出バンクシステムについて、実施例に基づき更に詳細に説明する。
図１は、本発明の思い出バンクシステムの一実施例を示すブロック線図である。
【０００９】
本実施例の思い出バンクシステムは、各種周辺機器を備えたパーソナルコンピュータ（パソコン：ＰＣ）からなる端末を備え、各端末１は図２に示すように、インターネットを介して、本システムの主要部をなすサーバに接続される。思い出バンクシステムのサーバは、端末と同様の構成でスタンドアロン型とできるが、本実施例では上述したように、端末と通信ネットワークを介して接続されている。この場合、サーバは、端末との通信手段の他、各種画像映像情報を登録しておくための情報記憶手段、さらに各種情報処理を行う制御手段を備えている。なお、サーバを端末と同様の構成としてもよい。そして、サーバの情報記憶手段には、後述するようなデータベースが構築される。
【００１０】
各端末１の構成は、図１に示すとおりである。図１において、符号２は入力操作部であり、キーボードやマウスを備えていて、中央処理装置（ＣＰＵ）を備えた制御部１５の入力ポートに接続される。また、符号３は、映像信号処理部であり、制御部１５の表示制御によってＣＲＴ（又は液晶ディスプレイ）４の画面に静止画像や動画を表示させる。また、符号５は、音声信号処理部であり、制御部１５からの音声信号を受けてスピーカ６から音声を出力可能である。
【００１１】
また、符号７はモデム（又はターミナルアダプター）であり、制御部１５と電話回線とに双方向性に接続されていて、インターネット通信が可能である。符号８は入出力ポートであって、制御部１５とは双方向性に接続されており、自分史の編集および制作に必要な周辺機器が接続されている。これら機器は、入力操作部２からの指令に応じて制御部１５が動作を制御するようになっている。
【００１２】
前記周辺機器としては、例えばＤＶＤ（Ｄｉｇｉｔａｌ  Ｖｉｄｅｏ  Ｄｉｓｃ）やＶ−ＣＤ（Ｖｉｄｅｏ  Ｃｏｍｐａｃｔ  Ｄｉｓｃ）といった光ディスクの情報を読み取り、またはこれに書き込むドライバ９、写真等の画像情報を読み取るスキャナ１０、ディジタルカメラ（ディジカメ）１１、ビデオカメラ１２および画像を印刷するプリンタ１３等である。なお、入出力ポート８には、情報記録媒体であるカード式メモリのアダプタやＶＴＲ（ビデオデッキ）のディジタル出力端子等も接続可能となっている。
【００１３】
制御部１５は、ＣＰＵ、ＲＯＭ、ＲＡＭからなるマイクロコンピュータであり、入力操作部２の指令信号や他のＰＣ１からのアクセスに従って、各種人物史制作や社史制作データの生成に関した動作を制御する。この制御部１５は、大容量メモリとしてハードディスク（ＨＤ）１４を備えており、データベースの作成指令に基づき、人物情報に関連付けてマルチメディア情報をハードディスク１４に書き込み、データベースとする。
【００１４】
人物情報は、氏名、住所、生年月日、家族関係、先祖・知人関係、所属等の略歴であり、入力操作部２の操作によって各個人に識別コード（番号データなどのＩＤ）が付与されて入力される。
【００１５】
また、マルチメディア情報は、ドライバ８で読み取られる光ディスクに記録された映像情報、スキャナ９で読み取られる写真等の画像情報、ディジカメ１１から入力される画像情報、ビデオカメラ１２やビデオデッキから入力される映像情報、端末１から受信した情報など、各種画像映像情報（音声情報を含むこともある）である。
【００１６】
これらのマルチメディア情報は、それぞれの情報を記録する際に、各個人を示す前記識別コードを指定したうえ、撮影撮像の日時、場所、被写体との関係等が入力される。さらに、各マルチメディア情報には、被写体人物との関連度も指定される。例えば、本人しか写っていない場合には、関連度は１００であるし、友人と二人で写っている場合には、それより関連度はやや下がるかもしれない。本実施例では、図４に示すような重要度リストテーブルを用いて、関連度を付すことができる。
【００１７】
制御部１５は、人物史制作指令の内容に従い、識別コードが指定されると、ハードディスク１４のデータベースから当該人物やその関係者のデータを読み出して、また関連度を利用して、所望の情報のみを取得、出力可能である。そして、制作内容に応じて編集処理することにより、写真画像の配列を標準とした自叙伝、伝記、家系図、結婚式、葬式その他の記念式といった人物史制作データや社史、団体史等の制作データを生成することができる。
【００１８】
次に、人物史の制作について、図を参照しつつ説明する。
この人物史は、前述の如く多種多様であるが、情報入力、編集、制作に係る基本的な作業は等しいので、Ａ氏が何れかを出版社に依頼する場合の共通事項について説明する。
【００１９】
このＡ氏が人物史の制作を依頼する際は、写真、略歴、オーディオテープ、ビデオテープその他必要な資料を出版社に提供する。出版社では、まず、パソコン１のオペレーターが、入力操作部２の操作により人物情報として、Ａ氏に識別コードを付与し、氏名、生年月日、家族関係、友人・知人関係、職業、所属といった略歴を入力する。これらの人物情報は、制御部１５に取り込まれ、ハードディスク１４に記憶されることにより、データベースとされる。
【００２０】
つぎに、オペレーターは、例えばスキャナ９を操作して写真を順次読み取らせる。そして、入力操作部２の操作により、それぞれに整理番号を付してから、保存する。また、ディジカメ１１で撮像した画像情報は、パソコン１に専用コードを接続して直接入力するか、カード式メモリに記録したものであれば、パソコン１の挿入口にアダプタを介して挿入する。そして、入力操作部２の操作によりディジカメ１１から写真画像を取り込み、同じくデータベースとして記録される。
【００２１】
図３は、出来事を中心にした写真画像データの一例を示す説明図である。
この写真画像のうち、データＤ１は、Ａ氏本人の誕生時点から始まり、学業期を経て、就職、結婚生活に入り家族旅行をした最近までの主な出来事を時系列で記録したものである。また、データＤ２は、Ａ氏の父親の誕生後から始まり、死去して葬式を行ったときまでの一生のうちの主な出来事を時系列で記録したものである。さらに、データＤ３は、Ａ氏の長女の誕生後から始まり、小学校に入学した最近の主な出来事を時系列で記録したものである。
【００２２】
これらの画像データＤ１〜Ｄ３は、他の家族や友人・知人も同様、それぞれの写真にＡ氏の家族関係、人間関係が分かる識別番号が付与され、撮影日時や場所等も書き込まれて記録される。これにより、Ａ氏およびその家族の各種人物史を制作するとき、直ぐに必要な写真を簡便にピックアップできるものである。
【００２３】
ところで、この写真画像データの他に、動画情報、映像・音声情報も同様に記録することができる。オーディオテープやビデオテープについては、パソコン１の入出力ポート８にテープレコーダまたはビデオテープレコーダの出力を接続し、これらを再生して音声信号もしくは音声・映像信号をハードディスク１４に記録する。
【００２４】
なお、入出力ポート８にディスクドライバを接続し、テープレコーダの音声信号をオーディオ用ディスクに記録し、また、ビデオテープの音声・映像信号をＡＶ用ディスクに記録しておいてもよい。
【００２５】
続いて、Ａ氏とその関係者についての重要度リストを作成する。この際は、例えば図４に示すように、本人とその関係者をＡ〜Ｆに分類し、重要度が最も高い比率を１００とした場合に、本人Ａを最高の比率にして節目の出来事と節目以外の事につき、両親Ｂ、子供Ｃ、兄弟姉妹Ｄ、先祖Ｅ、知人Ｆのそれぞれについて、図４に示すような値に設定している。
【００２６】
すなわち、節目の出来事では、本人Ａを６０〜１００の比率にすると、両親Ｂは５０〜９０、子供Ｃは４０〜８０、兄弟姉妹Ｄは３０〜７０、先祖Ｅは２０〜６０、知人Ｆは１０〜５０としている。また、節目以外の事では、本人Ａを５０〜８０の比率にすると、両親Ｂは４０〜７０、子供Ｃは３０〜６０、兄弟姉妹Ｄは２０〜５０、先祖Ｅは１０〜４０、知人Ｆは０〜３０としている。これにより、Ａ氏を基準に各人の重要度が比率でそれぞれ設定される。なお、Ａ氏の関係者の比率を入力するときは、それぞれに識別コードを付与しておく。
【００２７】
このように、ランク付けして重要度リストを作成しておけば、選択された人物を基準に写真画像を編集することにより、自叙伝用画像、結婚式や葬式用画像、家系図用といった人物史制作データや社史等の団体史データを効率良く生成することができる。
【００２８】
図５は、画像による自叙伝制作の一例を示す説明図である。
この自叙伝を制作する場合は、出版社が依頼者の要望に基づいて素案を作成した後、これに従って本システム用のパソコン１を操作し自叙伝を編集、制作する。まず、自叙伝制作のフォーマットに文章を入力した後、各ページのスペースに挿入すべき写真を選択する。この選択においては、節目の出来事を説明するページにＡ氏本人のみを載せたい場合、６０〜１００の比率を入力する。すると、データベースの重要度リストからこの比率に応じた写真の画像データが読み出され、ＣＲＴ４の画面に順次表示される。
【００２９】
オペレーターは、自叙伝の素案に従い、表示画像から最適の写真画像を選択し、図５に示す如く１ページ目の文章中に写真画像Ｐを貼り付ける。また、次のページに例えば、両親と一緒の写真画像を載せたい場合、５０〜１００の比率を入力すると、父、母、Ａ氏を含む、親子３人の組み合わせ写真の画像データが読み出され、ＣＲＴ４の画面に表示される。そして、親子３人が映った写真のうちの何れかを選択すると、２ページ目の文章中に写真画像Ｐが貼り付けられる。
【００３０】
このようにして、全ページに写真画像Ｐを挿入し、校正を行って編集を終了すると、画像による自叙伝制作データが生成される。この自叙伝制作データは、Ａ氏のチェックを受ける必要があり、通常、プリンタ１３を使用してプリントアウトしたものが提供されるが、インターネットを利用しＡ氏のパソコンＰ１側に送信してもよい。
【００３１】
そして、依頼者Ａ氏のチェックを受けた最終の自叙伝制作データは、自叙伝のオリジナル原稿ともいえるので、プリンタ１３によりプリントアウトし、製本して簡便に提供することができる。また、必要に応じてハードディスク１４にファイル名を付して保持しておいてもよいし、ディスクドライブを用いてＤＶＤ等の光ディスクに書き込み、保存したものを依頼者その他に提供することも可能である。
【００３２】
さらに、遠方からの要望に応じて、インターネットを利用し送信するといったこともできる。この場合は、所定の認証手続きとして、予め設定されたＩＤやパスワードの確認後に配信する。
【００３３】
図６は、結婚式用写真集の一例を示す説明図である。
この結婚式用写真集を制作する場合は、結婚式場側が依頼者の要望に基づいて素案を作成した後、本システム用のパソコン１により編集、制作するものとする。まず、写真集制作のフォーマットに文章やデコレーション用のサインを入力した後、各ページのスペースに挿入すべき写真を選択する。この選択においても、上記と同様に節目の出来事を説明するページにＡ氏本人のみを載せたい場合は、６０〜１００の比率を入力すればよい。
【００３４】
すると、この比率に応じた写真の画像データが読み出され、ＣＲＴ４の画面に順次表示されるので、素案に基づき表示画像から最適の写真画像を選択し、図６に示すように、１ページ目の文章中に写真画像Ｐを貼り付ける。
【００３５】
また、次のページの上段に例えば、母親と一緒の写真画像を載せたい場合、５０〜１００の比率を入力すると、親子３人の写真の画像データが読み出され、ＣＲＴ４の画面に表示される。そして、この中から何れかを選択すると、２ページ目の文章上段に写真画像Ｐが貼り付けられる。
【００３６】
さらに、同ページの下段に兄弟と一緒の写真画像を載せたい場合、３０〜７０の比率を入力すると、兄弟の写真の画像データが読み出され、ＣＲＴ４の画面に表示される。そして、この中から兄弟と一緒の何れかを選択すると、２ページ目の文章下段に写真画像Ｐが貼り付けられる。
【００３７】
このようにして、全ページに写真画像Ｐを挿入し、校正を行って編集を終了すると、結婚式用写真制作データが生成される。この制作データは、チェックを受けた後、プリントアウトし写真集として提供することができる。
【００３８】
図７は、家系図写真集の一例を示す説明図である。
この家系図写真集を制作する場合は、出版社が依頼者の要望に基づいて素案を作成した後、本システム用のパソコン１により編集、制作するものとする。まず、家系図写真制作のフォーマットに配列すべき写真を選択する。この選択において、例えば、長男である依頼者Ａを基準に数世代前からの親族の写真を配列したい場合、２０〜１００の比率を入力すればよい。
【００３９】
すると、この比率に応じた写真の画像データが読み出され、ＣＲＴ４の画面に順次表示されるので、素案に基づき表示画像から最適の写真画像を選択し、図７に示すように、家族関係の説明文に写真画像Ｐを貼り付ける。
【００４０】
このようにして、全ページに写真画像Ｐを挿入し、校正を行って編集を終了すると、家系図写真制作データが生成される。この制作データも、チェックを受けた後、プリントアウトして製本し家系図写真集として提供することができる。
【００４１】
また、ハードディスク１４にファイル名を付して保持しておいてもよいし、ディスクドライブを用いてＤＶＤ等の光ディスクに書き込み、保存したものを依頼者その他に提供することも可能である。さらに、遠方からの要望に応じて、インターネットを利用し送信するといったこともできる。
【００４２】
なお、上記実施の形態では、主な出来事を基準にして写真を選択し、各種の人物史を制作する場合について説明したが、特定のテーマで写真集を作りたいとき等には、図４に示した重要度リストのうち、節目以外の事をも選択してその比率を用いるのもよい。これにより、友人・知人が多い写真集を制作することもできる。
【００４３】
また、人物史の他に団体史として社史を制作することもできる。この編集、制作の基本作業は、上記人物史のうちの自叙伝等とほぼ同様で、簡便に行える
さらに、人物史や社史の他に各種記念史、出版物等の制作にも広く採用することができる。
【００４４】
【発明の効果】
以上説明したように、本発明の思い出バンクシステムによれば、制作制御手段が人物史や団体史制作の指令内容に従い、選択された人物、団体およびそれらの関連データを記憶手段のデータベースから読み出して所定の方式により分類し、かつ編集処理することにより、写真画像の配列を標準とした人物史制作データや団体史制作データを生成するので、これらの制作データから自叙伝、伝記その他の人物史や団体史等を効率良く制作することができる。
【００４５】
また、記憶手段が光ディスクであると、写真等の画像情報、静止画や動画を含む映像情報および音声情報からなるマルチメディア情報とともに、個人史や団体史等の制作データを記録しておくことにより、各種データを簡便に提供できる。そして、必要に応じてデータを直ぐに取り出すことができるので、従来のように、自宅で保管しているはずの写真、オーディオテープ、ビデオテープ等が散逸し必要なときに見つからなくて困るといったことがなくなる。
【００４６】
さらに、記憶手段に記録される情報は、分散されることがないので、自叙伝等を制作する場合、正確を期するため調査会社に写真の撮影年代の調査を依頼した際、高額な経費を要することを知って自叙伝の制作意欲が損なわれようなこともなくなる。加えて、冠婚葬祭業界等では、写真集の提供の他に依頼者の要望に応えて動画を映したり、様々にアレンジした映像・音声を表示できるといった効果がある。
【００４７】
また、所定の分類方式が、選択された人物を基準に、親族では親等、その他の関係者では親密度の度合いにより各人を段階的に異なる比率でランク付けした重要度リストに基づくものであるから、個人史や団体史の制作内容に応じて各種情報を簡便に効率良く編集処理できる利点がある。
【００４８】
また、制作制御手段が、式用写真集制作指令に従い、選択された人物を基準に写真画像を編集し、さらに映像情報および音声情報を付加して結婚式や葬式の写真集制作データを生成することから、結婚式では写真集に加えて動画を映写したり、ビデオ装置のように映像・音声を簡便に再生表示することができる利点がある。
【００４９】
また、制作制御手段が、家系図制作指令に従い、選択された人物を基準に数世代前からの親族の写真画像を編集して家系図制作データを生成することから、選択された人物を基準にして直ぐに家系図を制作できる利点がある。
【００５０】
また、制作制御手段が、情報処理装置からのアクセスがあると、所定の認証処理を経た後、そのアクセス内容に応じた制作データを配信することから、いつでも、誰でも、何処からでも必要なデータを利用できる利点がある。
【図面の簡単な説明】
【図１】本発明の思い出バンクシステムの一実施例を示すブロック線図である。
【図２】図１の思い出バンクシステムによるネットワーク構成図である。
【図３】出来事を中心にした写真画像データの一例を示す説明図である。
【図４】写真画像の分類の基準とする重要度リストの一例を示す説明図である。
【図５】自分史制作の一例を示す説明図である。
【図６】結婚式用写真集の一例を示す説明図である。
【図７】家系図写真集の一例を示す説明図である。
【符号の説明】
２  入力手段
１４  記憶手段
１５  制作制御手段
【図１】
2004336555.tif 000003
【図２】
2004336555.tif 000004
【図３】
2004336555.tif 000005
【図４】
2004336555.tif 000006
【図５】
2004336555.tif 000007
【図６】
2004336555.tif 000008
【図７】
2004336555.tif 000009